(57)【特許請求の範囲】
【請求項１】
二等辺三角形の等辺に相当する２本の支持脚を上枠で連結し、底辺に対応する下枠を接地側とした外枠と、
前記外枠の上枠中央に、底辺に対して垂直に設けられた貫通孔と、
前記外枠の下枠中央に、前記貫通孔に対向し、上方に向かって所定高さ突出した支軸と、
前記外枠の内側に符合する形状の内枠と、
前記内枠の上枠中央に、前記貫通孔と対応し、上方に向かって開口する連結孔と、
前記内枠の下端中央に、上下方向に対応し、前記支軸が摺動可能に挿通されるガイド孔と、
把手となる開口部を有する把持部と、
前記把持部の下端に、前記外枠の貫通孔に挿通させて、前記内枠の連結孔と連結する回転軸と
を備え、
内枠を外枠に対して前記回転軸を中心に９０度の角度を保って立設して使用するとともに、内枠を外枠と同一面にして収納する標識具。
【請求項２】
前記把持枠の下端と前記外枠の上端との間に、地面から当該外枠の下枠の上面までの間の距離に相当する余裕を設け、
前記内枠を前記外枠の内側に収納した際に、当該外枠の下枠の上面から前記距離に相当する余裕の高さだけ上方に窪んだ嵌込凹部を設ける
請求項１に記載の標識具。
【請求項３】
更に、前記内枠の内側に、重りを組み込むことが可能な重りボックスを備えた
請求項１又は２に記載の標識具。
【請求項４】
前記外枠の２本の支持脚は、先端がそれぞれ外側を向いて張り出して屈曲形成した略Ｌ字状とされ、
前記内枠の２つの側縁部は、先端がそれぞれ外側を向いて張り出した足部を備える
請求項１−３のいずれか一項に記載の標識具。
【請求項５】
前記内枠の側縁部の先端を、前記外枠の支持脚と交差する程度に張り出させ、当該側縁部の交差部に、コ字状に形成された凹部を備えるとともに、当該支持脚の交差部に、前記凹部に嵌合可能な、コ字状の凹部を備え、
前記内枠を前記外枠と同一面にして収納した場合に、当該内枠の側縁部における凹部と当該外枠の支持脚における凹部とが相互に嵌まるように構成した
請求項４に記載の標識具。
【発明の詳細な説明】
【技術分野】
【０００１】
本発明は、標識具に関し、詳しくは、簡単に設置、又は収納することが可能であるとともに、収納時の標識具全体の省スペース化を図ることが可能な標識具に関する。
【背景技術】
【０００２】
一般に、交通事故の検証現場、交通取締りの検問現場、道路工事、電線工事、建設工事等の工事現場では、立ち入り禁止区域を設けるために標識具が使用されている。
【０００３】
当該標識具は、赤色等の視覚的に目立つ着色を付したプラスチックで一体成形され、円錐形状をなして、高さが７００ｍｍ程度（又は４５０ｍｍ程度）であり、取り扱いが容易である。
【０００４】
しかしながら、上述した構成の標識具では特定の固定形状であるため、折り畳むことができず嵩張り、運搬、収納、保管に不便であるという問題がある。
【０００５】
当該問題を解決するために、特開平１０−１０２４４５号公報（特許文献１）では、略四角錐の使用形態に組み立てられる折り畳み式標識具が開示されている。当該折り畳み式標識具では、前記略四角錐の頂点を囲う４面のうち、一対の相対面が、夫々一枚板で成り、残る一対の相対面が、夫々略左右対称形に分割された半割り板同士を折り畳み可能に連結して成ると共に、それら各半割り板が夫々に隣接する前記各一枚板に対して内側に折り畳み可能に連結されている。当該構成により、組立や折り畳みの操作が極めて簡単であると同時に運搬や保管が非常に便利であり、また、見栄えがよく、簡単に傷つけられたり破損するおそれもないという種々の優れた効果があるとしている。
【０００６】
又、特開２００３−２２１８１１号公報（特許文献２）では、周囲に注意を喚起する折り畳み式標識具において、互いに回転自在に取り付けられた複数の板状体からなり、これらの板状体を回転して広げることによって自立し、これとは逆に回転することによって互いに重なるべくなしてあることを特徴とする折り畳み式標識具が開示されている。当該構成により、構成部材の部品点数を少なくすることにとともに、これらを連結する下枠材を少なくして構造を簡素化し、故障を防止することができるとしている。
【先行技術文献】
【特許文献】
【０００７】
【特許文献１】特開平１０−１０２４４５号公報
【特許文献２】特開２００３−２２１８１１号公報
【発明の概要】
【発明が解決しようとする課題】
【０００８】
しかしながら、特許文献１及び２に記載の技術では、操作性、作業性が悪いという問題が未だに残っている。即ち、標識具の上下方向の高さが、通常、人の高さと比較して２分の１程度（７００ｍｍ程度）と低いため、その高さに対応する標識具の面をユーザが手作業で拡げて標識具を展開することは、手間が掛かり、所定の時間（例えば、数十秒以上）を要する。特に、標識具が設置される工事現場等では、標識具を数十個以上設置しなければならない場合もあり、前記構成の標識具では、設置に要する時間が長期化するという問題がある。
【０００９】
又、特許文献１又は２に記載の技術では、標識具を折り畳んだ際に、構造上、標識具の面（板状体）が必ず二重に重なり、収納時の標識具は嵩高くなるという問題がある。特に、収納時の標識具を目的の現場に搬送する場合、標識具は数十個以上になるから、嵩高い複数の標識具が占める体積は膨大となる。
【００１０】
更に、特許文献１又は２に記載の技術では、構成が複雑であるため、従来から存在する標識具（カラーコーン）と比較して、量産し難く、コストパフォーマンスに劣るという問題がある。
【００１１】
そこで、本発明は、上記問題を解決するためになされたものであり、簡単に設置、又は収納することが可能であるとともに、収納時の標識具全体の省スペース化を図ることが可能な標識具を提供することを目的とする。
【課題を解決するための手段】
【００１２】
上述した課題を解決し、目的を達成するために、本発明に係る標識具は、周囲に注意を喚起する標識具を前提とする。
【００１３】
当該標識具は、二等辺三角形の等辺に相当する２本の支持脚を上枠で連結し、底辺に対応する下枠を接地側とした外枠と、前記外枠の上枠中央に、底辺に対して垂直に設けられた貫通孔と、前記外枠の下枠中央に、前記貫通孔に対向し、上方に向かって所定高さ突出した支軸とを備える。又、当該標識具は、前記外枠の内側に符合する形状の内枠と、前記内枠の上枠中央に、前記貫通孔と対応し、上方に向かって開口する連結孔と、前記内枠の下端中央に、上下方向に対応し、前記支軸が摺動可能に挿通されるガイド孔とを備える。更に、当該標識具は、把手となる開口部を有する把持部と、前記把持部の下端に、前記外枠の貫通孔に挿通させて、前記内枠の連結孔と連結する回転軸とを備える。そして、当該標識具は、内枠を外枠に対して前記回転軸を中心に９０度の角度を保って立設して使用するとともに、内枠を外枠と同一面にして収納する。
【００１４】
当該構成により、内枠を回転させると、標識具の設置、又は収納を容易に行なうことが可能となるとともに、当該標識具の設置、又は収納に要する時間を短縮することが可能となる。又、内枠が外枠の内側に収納されるため、標識具を収納した場合、内枠が外枠の外側に嵩張ることが無く、内枠の厚さ分だけ省スペース化を図ることが可能となる。更に、標識具の構成が簡単であるため、従来のプラスチック用の標識具と同様に、コストパフォーマンスに優れ、簡単に量産することが可能である。そして、仮に、開脚した標識具が強風により倒れたとしても、標識具が閉脚した状態で倒れるため、強風によって更に遠くに飛ばされることを防止し、強風による標識具の紛失を防止することが可能となる。
【００１５】
又、前記把持部の下端と前記外枠の上端との間に、地面から当該外枠の下枠までの間の距離に相当する余裕を設け、前記内枠を前記外枠の内側に収納した際に、当該外枠の下枠の上面から前記距離に相当する余裕の高さだけ上方に窪んだ嵌込凹部を設ける構成を採用することが出来る。
【００１６】
当該構成により、外枠に対して内枠を開いたとき、内枠の２つの側縁部の下端、外枠の２本の支持脚の下端をそれぞれ地面に確実に設置することが可能となる。
【００１７】
更に、前記内枠の内側に、重りを組み込むことが可能な重りボックスを備えた構成を採用することが出来る。
【００１８】
当該構成により、当該重りボックスに、適当な形状の重りを当該重りボックスに組み込むことで、標識具全体として一定の重さを確保することが出来、標識具を安定して地面に設置することが可能となる。
【００１９】
又、前記外枠の２本の支持脚は、先端がそれぞれ外側を向いて張り出して屈曲形成した略Ｌ字状とされ、前記内枠の２つの側縁部は、先端がそれぞれ外側を向いて張り出した足部を備える構成を採用することが出来る。
【００２０】
当該構成により、外枠の２つの支持脚の略Ｌ字状の底辺、及び内枠の２つの側縁部の足部とが、地面に十分に当接し、当該当接面積が増えて、標識具を安定して立設させることが可能となる。
【００２１】
又、前記内枠の側縁部の先端を、前記外枠の支持脚と交差する程度に張り出させ、当該側縁部の交差部に、コ字状に形成された凹部を備えるとともに、当該支持脚の交差部に、前記凹部に嵌合可能な、コ字状の凹部を備え、前記内枠を前記外枠と同一面にして収納した場合に、当該内枠の側縁部における凹部と当該外枠の支持脚における凹部とが相互に嵌まるように構成出来る。
【００２２】
当該構成により、内枠を外枠の内側に収めた際に、前記内枠における凹部と前記外枠における凹部とを相互に嵌め合わせれば、内枠が外枠の内側に確実に固定される。そのため、何らかの原因により標識具が展開することを防止し、標識具を安全に収納、運搬することが可能となる。
【発明の効果】
【００２３】
本発明に係る標識具によれば、簡単に設置、又は収納することが可能であるとともに、収納時の標識具全体の省スペース化を図ることが可能となる。
【図面の簡単な説明】
【００２４】
【図１】本発明に係る標識具の収納状態を示す正面図（図１（ａ））と、本発明に係る標識具の収納状態を示す右側面図（図１（ｂ））である。
【図２】本発明に係る標識具の収納状態を示す平面図（図２（ａ））と、本発明に係る標識具の収納状態を示す底面図（（図２（ｂ）））であり、本発明に係る複数の標識具を積み重ねた状態を示す平面図（図２（ｃ））である。
【図３】本発明に係る標識具の設置前の第一状態を示す正面図（図３（ａ））と、本発明に係る標識具の設置前の第二状態を示す正面図（図３（ｂ））である。
【図４】本発明に係る標識具の設置状態を示す正面図（図４（ａ））と、本発明に係る標識具の設置状態を示す右側面図（図４（ｂ））である。
【図５】本発明に係る標識具の設置状態を示す平面図（図５（ａ））と、本発明に係る標識具の設置状態を示す底面図（図５（ｂ））である。
【図６】本発明に係る標識具の設置状態を示す斜視図である。
【図７】回転軸と連結孔との関係を示す斜視図である。
【図８】本発明に係る標識具に立体表示カバーを被せた状態を示す斜視図である。
【図９】本発明に係る複数の標識具を相互に連結して使用した状態を示す斜視図である。
【発明を実施するための形態】
【００２５】
以下、本発明の実施形態について、以下、適宜図面を参照しながら詳細に説明する。
【００２６】
＜本発明に係る標識具＞
図１（ａ）は、本発明に係る標識具の収納状態を示す正面図であり、図１（ｂ）は、本発明に係る標識具の収納状態を示す右側面図である。図２（ａ）は、本発明に係る標識具の収納状態を示す平面図であり、図２（ｂ）は、本発明に係る標識具の収納状態を示す底面図であり、図２（ｃ）は、本発明に係る複数の標識具を積み重ねた状態を示す平面図である。尚、本発明に係る標識具の収納状態を示す背面図は、正面図と同一に表れ、本発明に係る標識具の収納状態を示す左側面図は、右側面図に対して左右対称に表れるため、省略する。
【００２７】
２等辺三角形の等辺に相当する２本の支持脚２３ａ、２３ｂを、当該２等辺三角形の頂点付近に配設した上枠２１で連結し、底辺付近を下枠２４で連結して外枠２を構成する。当該外枠２は、前記底辺側が、後に説明する使用時の接地側となり、前記上枠２１の中央には、底辺に対して垂直に貫通孔２２が設けられている。更に、前記外枠２の下枠２４の中央には、前記貫通孔２２と同一軸線上に、上方に向かって所定の高さだけ突出した支軸２５が設けられている。
【００２８】
一方、前記外枠２とは別の２等辺三角形であり、当該外枠２の内側に符合する形状の内枠３を構成しておく。当該内枠３の頂点に相当する上枠３１の中央に、前記外枠２の貫通孔２２に対応し、上方に向かって開口する連結孔３２を設け、当該２等辺三角形の等辺に相当する２本の側縁部３３ａ、３３ｂ（左右の側縁部）の長さを、前記外枠２の上枠２１の下面から当該外枠２の下枠２４の上面に相当する長さとした構成とする。
【００２９】
ここで、外枠２の支持脚２３ａ、２３ｂの接地面と下枠２４の上面との間の距離（後に説明する足部を含む）をＸとし、また、内枠３が外枠２の下枠２４の上側に嵌りこんで、両者が面一になった状態を、「収納状態」（図1参照）とし、外枠２に対して内枠３が開いた状態を「使用状態」として、以下更に構成を説明する。
【００３０】
前記内枠３の底辺に対応する下端中央には、前記収納状態で、外枠２の下枠の上面から前記距離Ｘに相当する余裕Ｚの高さだけ上方に窪んだ嵌合凹部３４が設けられる。この嵌合凹部３４の上部３４ａ（図面上、上側）の幅Ｔは、前記下枠２４の幅ｔと符合し、以下に説明する使用状態では、当該上部３４ａが下枠２４に嵌り込むことになる（図６参照）。嵌合凹部３４の前記上部３４ａの下側は、前期上部３４ａと同じ幅、もしくはそれより広い幅を持たせることで足りるが、全体に末広がりにしておくと以下に説明するように収納状態から使用状態への移行がスムーズになる。
【００３１】
更に、当該嵌合凹部３４の上面３４ｂに、前記支軸２５の軸芯に符合し、当該支軸２５が摺動可能に挿通されるガイド孔３５が設けられている。このガイド孔３５の深さは、前記収納状態で、前記Ｘに相当する高さＵだけ、当該ガイド孔３５に嵌り込んだ支軸２５の上面との間（ガイド孔３５の上面と支軸２５の上面との間）に余裕を持つ深さとなる。
【００３２】
上記構成の標識具は、親指とそれ以外の４本の指で把持部４を握り込んで運搬、操作するようになっている。すなわち、把持部４は前記握り込みができる程度の大きさの方形の枠で構成される。当該把持部４の下端には回転軸４２が固定され、当該回転軸４２は前記外枠２の貫通孔２２に摺動自在に挿通され、更に、その先端が、前記内枠３の連結孔３２に固定される。この回転軸４２は、前記収納状態で、外枠１の上枠２１の上面と把持部４の下端との間に、前記Ｘに相当する高さＹだけ、余裕を持たせた状態となっている。
【００３３】
また、前記回転軸４２の先端を、連結孔３２に固定する方法は種々ある。図７に挙げた一例は、以下のようになっている。まず、回転軸４２の先端を、２枝４２ａに分岐し、各枝に径方向の弾性を持たせるとととともに、当該分岐の先端に突起４２ｂを設けておく。一方、前記突起４２ｂに対応して、連結孔３２内部から内枠３の幅方向両端に開く窓３２ａを設け、前記回転軸４２を、前記弾性に抗して連結孔３２に挿通し、突起４２ｂが窓３２ａの位置まで挿入されたときに弾性で窓３２ａに嵌り込むことによって、当該回転軸４２が連結孔３２に固定されるようになっている。
【００３４】
上記の基本的な構成に加えて、外枠２、内枠３の脚部の接地側が以下のように構成されている。
【００３５】
外枠２の下枠２４の両端には、先端がそれぞれ外側を向いて張り出した足部２３ａ２、２３ｂ２が形成される。更に、内枠３の底部には、先端３３ａ１、３３ｂ１が、それぞれ外枠２の支持脚２３ａ、２３ｂを越えて外側に張り出した足部３３ａ２、３３ｂ２が形成される。これにより、外枠２の支持脚２３ａ、２３ｂと、前記内枠３の足部３３ａ２、３３ｂ２が交差することになるが、当該交差部は、支持脚２３ａ、２３ｂと、足部３３ａ２、３３ｂ２の双方に互いに嵌り込む凹部２３ａ４、２３ｂ４、３３ａ４、３３ｂ４が形成され、後に説明する収納時には、凹部２３ａ４と凹部３３ａ４、凹部２３ｂ４と凹部３３ｂ４が相互に嵌り込む（図６矢印参照）ことになって、収納時に外枠２と内枠３の面一が保たれるようになっている。
【００３６】
＜標識具の使用方法＞
上記構成の標識具は、図１、図３に示すように、収納時には外枠２と内枠３が面一の状態となっている。
【００３７】
上記の状態から、把持部４を持って全体を立てた状態で、内枠を足で蹴る（あるいは把持部４を手で回す）ことによって、内枠３は、回転軸４２と支軸２５を中心として回転し、外枠２から外れる。これによって、前記嵌合凹部３４の内縁と上枠２４の外縁とが滑り合って内枠３が自重で落下するとともに、更に回転する。内枠３が９０度回転すると、嵌合凹部３４の上部３４ａが外枠２４に上から嵌りこんで外枠２と内枠３が直角に交差した状態を形成するとともに、前記した各余裕Ｚ、Ｕ、ＹはＸと同じになっているので、外枠２の足部２３ａ２、２３ｂ２はもちろん、内枠３の足部３３ａ２、３３ｂ２も接地することになり、安定した状態となる（図４、図５、図６）。
【００３８】
前記したように嵌合凹部２３を、例えば、八字状に末広がりにすると、前記自重での落下は、更にスムーズになる。
【００３９】
この状態から、把持部４を持って内枠を前記余裕Ｙ引き上げ、９０度回転させるとともに、前記凹部２３ａ４に凹部３３ａ４を、また、凹部２３ｂ４を凹部３３ｂ４に嵌め込むと、全体が面一になって、前記収納状態を形成することになる（図１．図３）。
【００４０】
尚、前記使用状態で、当該標識具１が強い風を受けたりして大きな力が加わったとき、その力の内枠３の面に平行な成分が、下枠２４から内枠３の嵌合凹部３４を外す方向に働く。嵌合凹部３４が下枠２４から外れると、当該標識具１は倒れることになるが、このときは必ず閉脚しているので、標識具１が閉脚した状態で倒れるため、風によって更に遠くに飛ばされる危険性は極めて少ないことになる。そのため、強風による標識具１の紛失を防止することが可能となる。
【００４１】
＜その他の構成＞
内枠３の内側（２つの側縁部３３ａ、３３ｂで囲まれた内側の空間）には、鋳物や鉄板等の重りを収納することが可能な重りボックス６が設けられ、当該ボックス６の厚み方向の一方の面は固定の蓋が、他方の面は着脱可能な蓋７がはめ込まれている。
【００４２】
これにより、必要に応じて、適当な形状と重さの重りを前記重りボックス６に組み込み、標識具１全体として一定の重さを確保することが出来、標識具１を安定して地面に設置（固定）することが出来るとともに、前記、収納時から使用時への内枠３の開脚動作に重りによる自重が加わり、よりスムーズが開脚が可能となる。
【００４３】
収納状態の一方の側面の適当な複数箇所（図１上では、外枠２の上枠２１の左側近傍、外枠２の右の支持脚２３ｂの中央近傍、外枠２の左の支持脚２３ａと下枠２４との交差部近傍）には、方形の凸部２３ａ５、２３ｂ６、２３ａ７が設けられる。又、当該凸部２３ａ５、２３ｂ６、２３ａ７の位置と左右対称の位置（図１上では、外枠２の上枠２１の右側近傍、外枠２の左の支持脚２３ａの中央近傍、外枠２の右の支持脚２３ｂと下枠２４との交差部近傍）には、方形の凹部２３ｂ５、２３ａ６、２３ｂ７が設けられる。更に、他方の側面（背面）には、前記凸部２３ａ５、２３ｂ６、２３ａ７に対応する位置に凹部が設けられるとともに、前記凹部２３ｂ５、２３ａ６、２３ｂ７に対応する位置に凸部が設けられる。
【００４４】
これにより、収納状態で複数の標識具１を相互に積み重ねるときに、図２（ｃ）に示すように、下側の標識具１の凸部（凹部）に上側の標識具１の凸部が嵌り込みことになり、積み重ね状態が安定する。その結果、積み重ねた複数の標識具１を安全に搬送、収納することが可能となる。例えば、トラック等の搬送用自動車で、相互に積み重ねた複数の標識具１を搬送する場合に、当該搬送用自動車が激しく上下左右に振動したとしても、複数の標識具１が相互に固定されているから、積み重ねた複数の標識具１が離散して崩れることがない。
【００４５】
又、把持部４の開口部４１には、鉄パイプ、コーンバー等の棒状体、工事用のロープ、コーンチェーン等の綱状体を挿入することが可能である。又、前記開口部４１には、下方に、前記棒状体、前記綱状体の周面の半周を取り囲むことが可能な部分円弧の溝部４１ａが設けられている。
【００４６】
これにより、所定間隔毎に設置された複数の標識具１を棒状体（又は綱状体）で相互に連結する場合に、把持部４の開口部４１に挿通された棒状体（綱状体）が、当該開口部４１の溝部４１ａに収まり、当該溝部４１ａに固定される。そのため、風が棒状体（綱状体）に吹き付けたとしても、当該棒状体（綱状体）が激しく振動したり移動したりすることがなく、開口部４１内の棒状体（綱状体）の移動に伴う標識具１の転倒を防止することが出来る。
【００４７】
尚、コーンバーが、両端に、前記把持部４の周囲を取り囲むことが可能なフック部を備えている場合、当該フック部を当該把持部４に入れて、当該コーンバーで、複数の標識具１を相互に連結しても構わない。
【００４８】
又、外枠２の下枠２４には、支軸２５と、下枠２４と支持脚２３ａ、２３ｂとの交差部との間に、前記部分円弧の溝部２４ａ、２４ｂが、当該支軸２５を中心として、左右対称にそれぞれ２つ設けられている。これにより、上述した把持部４の開口部４１に設けられた溝部４１ａと同様に、下枠２４の２つの溝部２４ａ、２４ｂに前記棒状体、前記綱状体を収めて、複数の標識具１を相互に連結することが可能となる。
【００４９】
このように、本発明に係る標識具１は、二等辺三角形の等辺に相当する２本の支持脚２３ａ、２３ｂを上枠２１で連結し、底辺に対応する下枠２４を接地側とした外枠２と、前記外枠２の上枠２１中央に、底辺に対して垂直に設けられた貫通孔２２と、前記外枠２の下枠２４中央に、前記貫通孔２２に対向し、上方に向かって所定の高さ突出した支軸２５と、前記外枠２の内側に符合する形状の内枠３と、前記内枠３の上枠２１中央に、前記貫通孔２２と対応し、上方に向かって開口する連結孔３２と、前記内枠３の下端中央に、上下方向に対応し、前記支軸２５が摺動可能に挿通されるガイド孔３５と、把手となる開口部４１を有する把持部４と、前記把持部４の下端に、前記外枠２の貫通孔２２に挿通させて、前記内枠３の連結孔３２と連結する回転軸４２とを備え、内枠３を外枠２に対して前記回転軸４２を中心に９０度の角度を保って立設して使用するとともに、内枠３を外枠２と同一面にして収納する標識具１である。
【００５０】
当該構成により、内枠３を回転させると、標識具１の設置、又は収納を容易に行なうことが可能となるとともに、当該標識具１の設置、又は収納に要する時間を短縮することが可能となる。又、内枠３が外枠２の内側に収納されるため、標識具１を収納した場合、内枠３が外枠２の外側に嵩張ることが無く、内枠３の厚さ分だけ省スペース化を図ることが可能となる。更に、標識具１の構成が簡単であるため、従来のプラスチック用の標識具と同様に、コストパフォーマンスに優れ、簡単に量産することが可能である。そして、仮に、開脚した標識具が強風により倒れたとしても、標識具が閉脚した状態で倒れるため、強風によって更に遠くに飛ばされることを防止し、強風による標識具の紛失を防止することが可能となる。
【００５１】
尚、上述した実施形態は、本発明を具体化した一例であって、本発明の技術的範囲を限定する性格のものではない。例えば、内枠３の２本の支持脚３３ａ、３３ｂは、棒状の形状であり、外枠２は、下枠２４が無い実施形態であっても、上述した作用効果を発揮する。更に、外枠２の２本の支持脚２３ａ、２３ｂ、内枠３の２本の支持脚３３ａ、３３ｂが、前記外枠２の貫通孔２２の中心軸を介してそれぞれ左右非対称に設けられても、特に問題はない。
【００５２】
又、本発明に係る標識具１では、発光部材を設けていないが、更に、周囲に注意を喚起する発光部材を、例えば、外枠２の２本の支持脚２３ａ、２３ｂ、内枠３の２本の側縁部３３ａ、３３ｂ、下枠２４、把持部４、プレート板７等に適宜設けても構わない。発光部材の種類は、光を発する部材でも、光を反射する部材でも構わない。又、光を発する部材を設置する場合、当該発光部材の電源は、どのような電源でもよく、例えば、ボタン電池、乾電池、太陽電池等が適宜採用される。
【００５３】
又、本発明に係る標識具１の外枠２の２本の支持脚２３ａ、２３ｂ、内枠３の２つの側縁部３３ａ、３３ｂは、各軸の軸方向に伸縮可能なスライド構造（スライド方式）を採用しても構わない。当該構成とすると、更に、標識具１をコンパクトに収納することが出来、省スペース化を図ることが可能となる。
【００５４】
又、本発明に係る標識具１の色彩は、どのような色彩でも構わないが、例えば、赤色、青色、緑色、オレンジ色、黄色等の注意を喚起する着色が好ましく適用される。
【００５５】
又、本発明に係る標識具１の材料は、どのような材料でも構わないが、例えば、ポリプロピレン、ＡＢＳ樹脂、金属等の軽くて耐衝撃性を有する材料が好ましく適用される。
【００５６】
又、本発明に係る標識具１では、外枠２、内枠３の正面視輪郭形状を略二等辺三角形状としているが、当該形状に限定されるものではなく、例えば、外枠２、内枠３の正面視輪郭形状を馬蹄形状、逆Ｕ字形状等に適宜変更しても構わない。
【００５７】
又、本発明に係る標識具１では、図８に示すように、更に、従来から市販されている標識具の外表を覆う立体表示カバー（例えば、特開２００８−１３８３６７号公報に示す立体標識）を被せて使用しても構わない。両者を組み合わせて使用すると、周囲への注意喚起をより一層確実なものとする。
【００５８】
更に、本発明に係る標識具１では、前記立体表示カバーを被せた状態で、図９に示すように、鉄パイプ、コーンバー等の棒状体９を、標識具１の把持部４の開口部に挿通して、複数の標識具１を相互に連結して使用しても構わない。当該構成とすると、当該立体表示カバーが顕著に目立って、更に、周囲に注意を喚起することが可能となる。
【００５９】
又、本発明に係る標識具１は、交通事故の検証現場、交通取締りの検問現場、工事現場等の屋外であっても、トイレ、廊下等の建物内の清掃現場、建物設停工事現場（建物内工事現場）、建物内の電源点検現場等の屋内であっても、周囲に注意を喚起するために使用することが可能である。
【産業上の利用可能性】
【００６０】
以上のように、本発明に係る標識具は、交通事故の検証現場、交通取締りの検問現場、工事現場等の屋外でも、建物内の清掃現場、工事現場、点検現場等の屋内でも有効であり、簡単に設置、又は収納することが可能であるとともに、収納時の標識具全体の省スペース化を図ることが可能な標識具として有効である。
【符号の説明】
【００６１】
１      標識具
２      外枠
３      内枠
４      把持部
６      重りボックス
７      プレート板
８      立体表示カバー
９      棒状体
【要約】
【課題】簡単に設置、又は収納することが可能であるとともに、収納時の標識具全体の省スペース化を図ることが可能な標識具を提供する。
【解決手段】２本の支持脚２３ａ、２３ｂを上枠２１で連結し、下枠２４を接地側とした外枠２と、前記外枠２の上枠２１中央に貫通孔２２と、前記外枠２の下枠２４中央に支軸２５と、前記外枠２の内側に符合する形状の内枠３と、前記内枠３の上枠２１中央に連結孔３２と、前記内枠３の下端中央にガイド孔３５と、把手となる開口部４１を有する把持部４と、前記把持部４の下端に、前記外枠２の貫通孔２２に挿通させて、前記内枠３の連結孔３２と連結する回転軸４２とを備え、内枠３を外枠２に対して前記回転軸４２を中心に９０度の角度を保って立設して使用するとともに、内枠３を外枠２と同一面にして収納する標識具１を提供する。これにより、簡単に設置、収納が可能となり、省スペース化を図ることが出来る。
【選択図】図１【図１】
0004671370.tif 000002
【図２】
0004671370.tif 000003
【図３】
0004671370.tif 000004
【図４】
0004671370.tif 000005
【図５】
0004671370.tif 000006
【図６】
0004671370.tif 000007
【図７】
0004671370.tif 000008
【図８】
0004671370.tif 000009
【図９】
0004671370.tif 000010